(57)【要約】【課題】光ディスクに記録されている情報データの読み出しアドレスを指定して、情報データを複数回読み出して再生し、指定された読み出しアドレスから読み出された情報データを比較して、情報データの読み出しエラーの有無を判別し、ディスク再生装置の情報データの読み出し動作の信頼性を評価することができるようにする。【解決手段】光ディスクに記録されている情報データの読み出しアドレスを指定して、光ディスクに記録されている情報データを複数回読み出して再生し、その情報データが読み出されたアドレスと情報データの読み出しが指定されたアドレスとを比較して、読み出しアドレスの誤りを判別し、情報データの読み出し不能信号の有無を判別し、再生された各情報データを比較して、情報データの読み出しエラーを判別するようにする。【選択図】　　　　図４
2004047032.tif 000002
【特許請求の範囲】
【請求項１】
光ディスクに記録されている情報データを再生するディスク再生装置の情報データの読み出し動作の信頼性を評価するディスク再生装置の評価装置において、情報データが記録されている先頭アドレスから最終アドレスまでシーケンシャルに増加させて情報データの読み出しアドレスを指定し、或いは一様乱数によりランダムに情報データの読み出しアドレスを指定し、或いは光ディスクの内周近傍のアドレスと外周近傍のアドレスとを交互に指定して、情報データの読み出しを指令する制御手段と、前記制御手段により指定された読み出しアドレスの情報データを読み出して再生し、その情報データを読み出したアドレスを送信する再生手段であって、前記制御手段により指定された読み出しアドレスの情報データの読み出しができないとき、情報データの読み出し不能信号を送信する再生手段と、前記再生手段からの情報データの読み出し不能信号の有無を判別し、前記再生手段から送信された情報データが読み出されたアドレスと情報データの読み出しが指定されたアドレスとを比較して、情報データの読み出しアドレスの誤りを判別し、読み出された情報データのチェックサムを比較して、情報データの読み出しエラーを判別する判別手段と、前記判別手段の判別結果を表示する表示手段とを備え、光ディスクに記録されている情報データの読み出しアドレスを指定して、光ディスクに記録されている情報データを２回読み出して再生し、その情報データが読み出されたアドレスと情報データの読み出しが指定されたアドレスとを比較して、読み出しアドレスの誤りを判別し、情報データの読み出し不能信号の有無を判別し、再生された各情報データを比較して、情報データの読み出しエラーを判別し、その判別結果を表示するようにしたことを特徴とするディスク再生装置の評価装置。
【請求項２】
光ディスクに記録されている情報データを再生するディスク再生装置の情報データの読み出し動作の信頼性を評価するディスク再生装置の評価装置において、光ディスクに記録されている情報データの読み出しアドレスを指定して、情報データの読み出しを指令する制御手段と、前記制御手段により指定された読み出しアドレスの情報データを読み出して再生し、その情報データを読み出したアドレスを送信する再生手段であって、前記制御手段により指定された読み出しアドレスの情報データの読み出しができないとき、情報データの読み出し不能信号を送信する再生手段と、前記再生手段からの情報データの読み出し不能信号の有無を判別し、前記再生手段から送信された情報データが読み出されたアドレスと情報データの読み出しが指定されたアドレスとを比較して、情報データの読み出しアドレスの誤りを判別し、読み出された情報データを比較して、情報データの読み出しエラーを判別する判別手段と、前記判別手段の判別結果を表示する表示手段とを備え、光ディスクに記録されている情報データの読み出しアドレスを指定して、光ディスクに記録されている情報データを複数回読み出して再生し、その情報データが読み出されたアドレスと情報データの読み出しが指定されたアドレスとを比較して、読み出しアドレスの誤りを判別し、情報データの読み出し不能信号の有無を判別し、再生された各情報データを比較して、情報データの読み出しエラーを判別し、その判別結果を表示するようにしたことを特徴とするディスク再生装置の評価装置。
【請求項３】
前記制御手段は、情報データが記録されている先頭アドレスから最終アドレスまでシーケンシャルに増加させて情報データの読み出しアドレスを指定して、光ディスクに記録されている情報データの読み出しを指令することを特徴とする請求項２記載のディスク再生装置の評価装置。
【請求項４】
前記制御手段は、一様乱数によりランダムに情報データの読み出しアドレスを指定して、光ディスクに記録されている情報データの読み出しを指令することを特徴とする請求項２記載のディスク再生装置の評価装置。
【請求項５】
前記制御手段は、光ディスクの内周近傍のアドレスと外周近傍のアドレスとを交互に指定して、光ディスクに記録されている情報データの読み出しを指令することを特徴とする請求項２記載のディスク再生装置の評価装置。
【請求項６】
前記判別手段は、前記再生手段により再生された情報データのチェックサムを比較して、情報データの読み出しエラーを判別する判別手段であることを特徴とする請求項２記載のディスク再生装置の評価装置。
【請求項７】
前記判別手段は、情報データの読み出しエラーを検出したとき、情報データの読み出しエラー回数を計数し、前記表示手段は、情報データの読み出しエラー回数を表示すること特徴とする請求項２記載のディスク再生装置の評価装置。
【請求項８】
前記判別手段は、情報データの読み出しアドレスの誤りを検出したとき、情報データの読み出しアドレスの誤り回数を計数し、前記表示手段は、情報データの読み出しアドレスの誤り回数を表示すること特徴とする請求項２記載のディスク再生装置の評価装置。
【請求項９】
前記再生手段は、ドライブエラーを検出したとき、ドライブエラー信号を送信し、前記判別手段は、ドライブエラー信号を受信したとき、ドライブエラー回数を計数し、前記表示手段は、ドライブエラー回数を表示すること特徴とする請求項２記載のディスク再生装置の評価装置。
【請求項１０】
前記再生手段は、リードタイムエラーを検出したとき、リードタイムエラー信号を送信し、前記判別手段は、リードタイムエラー信号を受信したとき、リードタイムエラー回数を計数し、前記表示手段は、リードタイムエラー回数を表示すること特徴とする請求項２記載のディスク再生装置の評価装置。
【請求項１１】
光ディスクに記録されている情報データを再生するディスク再生装置の情報データの読み出し動作の信頼性を評価するディスク再生装置の評価方法において、情報データの読み出しアドレスを指定して、光ディスクに記録されている情報データの読み出しを指令するステップと、ドライブエラー信号が受信された場合、ドライブエラー回数を加算し、ドライブエラー回数を表示するステップと、リードタイムエラー信号が受信された場合、リードタイムエラー回数を加算し、リードタイムエラー回数を表示するステップと、情報データが読み出されたアドレスと情報データの読み出しが指定されたアドレスとを比較して、情報データが読み出されたアドレスと情報データの読み出しが指定されたアドレスとが一致しない場合、情報データの読み出しアドレスの誤り回数を加算し、情報データの読み出しアドレスの誤り回数を表示するステップと、指定された読み出しアドレスから読み出された情報データのチェックサムを算出して、算出された情報データのチェックサムをメモリに記憶するステップと、指定された読み出しアドレスの情報データの読み出し回数を判断するステップと、指定された読み出しアドレスから複数回読み出された各情報データのチェックサム比較して、複数回読み出された各情報データのチェックサムが一致しない場合、情報データの読み出しエラー回数を加算し、情報データの読み出しエラー回数を表示するステップと、情報データの読み出しアドレスを変更するステップとを有することを特徴とするディスク再生装置の評価方法。
【発明の詳細な説明】
【０００１】
【発明の属する技術分野】本発明は、ＤＶＤ（Ｄｉｇｉｔａｌ　Ｖｅｒｓａｔｉｌｅ　Ｄｉｓｃ）等の光ディスクに記録されている情報データを再生するディスク再生装置に係り、特にディスク再生装置の情報データの読み出し動作の信頼性を評価するディスク再生装置の評価装置及びその評価方法に関する。
【０００２】
【従来の技術】記録媒体から読み出された情報データが正しいか否かを判別する従来技術としては、例えば、特開平４−１４１８６２号公報に記載されているように、画像データとともに磁気ディスクのフォーマットエリア、或いはユーザーズエリアに記録されている日付等のＩＤデータを複数回再生し、再生された各ＩＤデータを比較して、各ＩＤデータが一致したとき、再生されたＩＤデータが画像データとともに記録されているＩＤデータであると判別するようにしたものがあった。
【０００３】
【発明が解決しようとする課題】しかしながら、上記従来の技術においては、画像データとともに磁気ディスクのフォーマットエリア、或いはユーザーズエリアに低い信号レベルで記録されているＩＤデータを複数回再生し、再生された各ＩＤデータを比較して、各ＩＤデータが一致したとき、画像データとともに記録されているＩＤデータであると判別することができたが、ＤＶＤ等の光ディスクに記録されている情報データを再生するディスク再生装置の情報データ読み出し動作の信頼性を評価するためにこの技術を用いた場合、以下に示す問題点があった。即ち、ディスク再生装置は、そのシステム全体を制御するバックエンドと呼ばれるブロックから、光ディスクに記録されている情報データを読み出して再生するフロントエンドと呼ばれるブロックに読み出しアドレスの信号を送信して、光ディスクに記録されている情報データの読み出しが指令され、フロントエンドにおいて光ディスクから読み出された情報データが復調され誤りが訂正されて、バックエンドに送出され、バックエンドにおいて誤り訂正された情報データが元の情報データに復号されるようになっている。そのため、バックエンドから送信された読み出しアドレスの情報データが読み出されず、指定された読み出しアドレスとは異なる別のアドレスの情報データが読み出された場合、バックエンドにおいて、別のアドレスから読み出された別の情報データが比較されることになり、ディスク再生装置の情報データの読み出しエラーを検出することができないという問題点があった。また、フロントエンドの何らかの不具合により光ディスクから情報データが読み出されない場合、バックエンドにおいて、無の情報データが比較されることになり、ディスク再生装置の情報データの読み出しエラーを検出することができないという問題点があった。
【０００４】本発明は従来の技術の有するこのような問題点に鑑みてなされたものであり、その目的とするところは、光ディスクに記録されている情報データの読み出しアドレスを指定して、情報データを複数回読み出して再生したとき、指定された読み出しアドレスと異なる別のアドレスから読み出された別の情報データを比較して、情報データの読み出しエラーを判別することなく、指定された読み出しアドレスから読み出された情報データを比較して、情報データの読み出しエラーの有無を判別し、ディスク再生装置の情報データの読み出し動作の信頼性を評価することができるディスク再生装置の評価装置及びその評価方法を提供しようとするものである。
【０００５】また、上記目的に加え、指定された情報データの読み出しができない場合、無の情報データを比較して、情報データの読み出しエラーの有無を判別することなく、ディスク再生装置の情報データの読み出し動作の信頼性を評価することできるディスク再生装置の評価装置及びその評価方法を提供しようとするものである。
【０００６】
【課題を解決するための手段】上記目的を達成するため本発明においては、光ディスクに記録されている情報データを再生するディスク再生装置の情報データの読み出し動作の信頼性を評価するディスク再生装置の評価装置において、光ディスクに記録されている情報データの読み出しアドレスを指定して、情報データの読み出しを指令する制御手段と、前記制御手段により指定された読み出しアドレスの情報データを読み出して再生し、その情報データを読み出したアドレスを送信する再生手段であって、前記制御手段により指定された読み出しアドレスの情報データの読み出しができないとき、情報データの読み出し不能信号を送信する再生手段と、前記再生手段からの情報データの読み出し不能信号の有無を判別し、前記再生手段から送信された情報データが読み出されたアドレスと情報データの読み出しが指定されたアドレスとを比較して、情報データの読み出しアドレスの誤りを判別し、読み出された情報データを比較して、情報データの読み出しエラーを判別する判別手段と、前記判別手段の判別結果を表示する表示手段とを備え、光ディスクに記録されている情報データの読み出しアドレスを指定して、光ディスクに記録されている情報データを複数回読み出して再生し、その情報データが読み出されたアドレスと情報データの読み出しが指定されたアドレスとを比較して、読み出しアドレスの誤りを判別し、情報データの読み出し不能信号の有無を判別し、再生された各情報データを比較して、情報データの読み出しエラーを判別し、その判別結果を表示するようにする。
【０００７】前記制御手段は、情報データが記録されている先頭アドレスから最終アドレスまでシーケンシャルに増加させて情報データの読み出しアドレスを指定して、光ディスクに記録されている情報データの読み出しを指令するようにする。
【０００８】また、前記制御手段は、一様乱数によりランダムに情報データの読み出しアドレスを指定して、光ディスクに記録されている情報データの読み出しを指令するようにしてもよい。
【０００９】また、前記制御手段は、光ディスクの内周近傍のアドレスと外周近傍のアドレスとを交互に指定して、光ディスクに記録されている情報データの読み出しを指令するようにしてもよい。
【００１０】前記判別手段は、前記再生手段により再生された情報データのチェックサムを比較して、情報データの読み出しエラーを判別するようにするとよい。
【００１１】前記判別手段は、読み出された情報データを比較して、情報データの読み出しエラーを検出したとき、情報データの読み出しエラー回数を計数し、前記表示手段は、情報データの読み出しエラー回数を表示するようにする。
【００１２】また、前記判別手段は、情報データが読み出されたアドレスと情報データの読み出しが指定されたアドレスとを比較して、情報データの読み出しアドレスの誤りを検出したとき、情報データの読み出しアドレスの誤り回数を計数し、前記表示手段は、情報データの読み出しアドレスの誤り回数を表示するようにする。
【００１３】また、前記再生手段は、ドライブエラーを検出したとき、ドライブエラー信号を送信し、前記判別手段は、ドライブエラー信号を受信したとき、ドライブエラー回数を計数し、前記表示手段は、ドライブエラー回数を表示するようにする。
【００１４】また、前記再生手段は、リードタイムエラーを検出したとき、リードタイムエラー信号を送信し、前記判別手段は、リードタイムエラー信号を受信したとき、リードタイムエラー回数を計数し、前記表示手段は、リードタイムエラー回数を表示するようにする。
【００１５】これらの手段により、光ディスクに記録されている情報データの読み出しアドレスを指定して、情報データを複数回読み出して再生したとき、指定された読み出しアドレスと異なる別のアドレスから読み出された別の情報データを比較して、情報データの読み出しエラーを判別することなく、指定された読み出しアドレスから読み出された情報データを比較して、情報データの読み出しエラーの有無を判別し、ディスク再生装置の情報データの読み出し動作の信頼性を評価することができる。
【００１６】また、指定された情報データの読み出しができない場合、無の情報データを比較して、情報データの読み出しエラーの有無を判別することなく、ディスク再生装置の情報データの読み出し動作の信頼性を評価することできる。
【００１７】
【発明の実施の形態】以下、適宜図面を参照しながら本発明の実施の形態を詳述する。図１は本発明の実施の形態に係るディスク再生装置の評価装置の構成を示すブロック図であり、図２は本発明の実施の形態に係るディスク再生装置の評価装置の評価情報の表示例を示す図であり、図３は本発明の実施の形態に係るディスク再生装置の評価装置のフロントエンドの動作を示すフローチャートであり、図４は本発明の実施の形態に係るディスク再生装置の評価装置のバックエンドの動作を示すフローチャートである。
【００１８】まず、図１の本発明の実施の形態に係るディスク再生装置の評価装置の構成を示すブロック図を基に説明する。
【００１９】ディスク再生装置の評価装置は、光ディスク１１に記録されている情報データを読み出して再生するフロントエンド１０と呼ばれる再生ブロックと、リモコン装置３０から送信されたリモコン信号を受信して、フロントエンド１０に情報データの読み出しを指令し、フロントエンドから送出された情報データを処理して、モニタ装置４０に映像音声信号を送出し、ディスク再生装置の評価装置のシステム全体を制御するバックエンド２０と呼ばれる制御ブロックとで構成されている。それぞれのブロックの構成について以下詳述する。
【００２０】ディスク再生装置の評価装置のフロントエンド１０は、光ディスク１１に記録されている情報データを光学的に読み出す光ピックアップ１２と、光ディスク１１を回転させるスピンドルモータ１３と、スピンドルモータ１３の回転を制御し、光ピックアップ１２を光ディスク１１の半径方向の移動させるスライドモータ（図示せず）の回動を制御して、光ピックアップ１２のフォーカスとトラッキングとを制御するサーボ回路１４と、光ピックアップ１２により読み出された情報データを基準クロックに基づいて同期検出し、アナログ信号からデジタル信号に変換する同期検出／ＡＤ変換回路１５と、デジタル信号に変換された情報データを復調し、読み出された情報データの誤りを訂正する復調／誤り訂正回路１６と、バックエンドのマイコン２４から送信された指令信号を受信して、フロンドエンド１０のシステムを制御するマイコン１７とで構成されている。
【００２１】また、ディスク再生装置の評価装置のバックエンド２０は、ＭＰＥＧ２方式に基づいて圧縮されたデジタル信号の映像信号を伸張して、元のデジタル信号の映像信号データに復号し、ＡＣ−３方式に基づいて圧縮されたデジタル信号の音声信号を伸張して、元のデジタル信号の音声信号データに復号するデコーダ２１と、復号されたデジタル信号の音声信号をアナログ信号の音声信号に変換し、デジタル信号の映像信号を所定の信号方式に従った映像信号、例えばＮＴＳＣ方式の映像信号に符号化して、符号化されたデジタル信号の映像信号をアナログ信号の映像信号に変換するエンコーダ／ＤＡ変換回路２２と、文字信号を映像信号に重畳して、モニタ装置４０に文字情報を表示するＯＳＤ（Ｏｎ−Ｓｃｒｅｅｎ　Ｃｈａｒａｃｔｅｒ　Ｄｉｓｐｌａｙ）回路２３と、フロントエンド１０のマイコン１７に制御信号を送信し、フロントエンド１０のマイコン１７から送信された信号を受信して、ディスク再生装置の評価装置のシステム全体を制御するマイコン２４と、リモコン装置３０から送信された赤外線信号のリモコン信号を受信して、所定の電気信号に変換するリモコン受信部２５とで構成されている。
【００２２】以上のように構成されたディスク再生装置の評価装置について、以下その動作について説明する。
【００２３】リモコン装置３０のキー操作により、ディスク再生装置の情報データの読み出し動作を評価する評価モードのプログラムの実行を指令する赤外線信号のリモコン信号が送信されると、バックエンド２０のマイコン２４は、そのリモコン信号をリモコン受信部２５により受信し、ディスク再生装置の評価装置のフロントエンド１０の情報データの読み出し動作を評価する評価モードの実行を開始して、図２に示すように、ディスク再生装置のフロントエンド１０にセットされている光ディスク１１のディスク情報、情報データの読み出しアドレス（１６進数表示）と、情報データの読み出しエラーと判別された回数を示すチェックサムエラー回数、情報データの読み出し時間が超過した回数を示すリードタイムエラー回数、ディスクドライブの不具合により情報データの読み出しができなかった回数を示すドライブエラー回数、情報データの読み出しアドレスの誤りと判別された回数を示すアドレスミスマッチ回数のそれぞれの初期値０（１０進数表示）とをモニタ装置４０の表示画面４０ａに表示し、フロントエンドのマイコン１７に情報データの読み出しアドレス３００００Ｈ（１６進数）の信号を送信して、フロントエンドのマイコン１７に指定した読み出しアドレス３００００Ｈの１セクタの情報データの読み出しを指令する。
【００２４】フロントエンド１０のマイコン１７は、バックエンド２０のマイコン２４から送信された読み出しアドレスの信号を受信し、光ディスクに記録されている情報データの読み出しが指令されると、サーボ回路１４に制御信号を送出して、光ディスク１１に記録されている、指定されたアドレス３００００Ｈの１セクタの情報データを光ピックアップ１２により光学的に読み出し、その情報データを読み出したアドレスの信号をバックエンド２０のマイコン２４に送信する。光ピックアップ１２により光学的に読み出された情報データは、同期検出／ＡＤ変換回路１５により、基準クロックに基づいて同期検出されて、アナログ信号からデジタル信号に変換され、デジタル信号に変換された情報データが復調／誤り訂正回路１６により復調され、読み出された情報データの誤りが訂正されて、バックエンド２０のデコーダ２１に送出される。
【００２５】また、フロントエンド１０のマイコン１７は、サーボ回路１４により制御されるディスクドライブの何らかの不具合により情報データの読み出しができないディスクドライブエラーが発生した場合、ドライブエラー信号をバックエンド２０のマイコン２４に送信し、情報データの読み出し時間を計測して、指定されたデータの読み出しアドレスが検出ができない等により情報データの読み出し時間が所定時間を超過して、リードタイムオーバーとなった場合、リードタイムエラー信号をバックエンド２０のマイコン２４に送信する。光ディスク１１から情報データの読み出しができない場合、情報データの読み出し不能を示すドライブエラー信号或いはリードタイムエラー信号をバックエンド２０のマイコン２４に送信することにより、バックエンド２０のマイコン２４が無の情報データを比較して、情報データの読み出しエラーの有無を判別しないようにすることができる。
【００２６】バックエンド２０のマイコン２４は、フロントエンド１０のマイコン１７から送信された情報データを読み出したアドレスと情報データの読み出しを指定したアドレスとを比較して、情報データの読み出しアドレスの誤りを判別し、情報データの読み出しアドレスの誤りを検出した場合、情報データの読み出しアドレスの誤り回数を示すアドレスミスマッチ回数に１を加算して、アドレスミスマッチ回数をモニタ装置４０の表示画面４０ａに表示する。情報データを読み出したアドレスと情報データの読み出しを指定したアドレスとを比較して、情報データの読み出しアドレスの誤りを検出することにより、指定されたアドレスとは異なる別のアドレスから読み出された情報データを比較して、情報データの読み出しエラーの有無を判別しないようにすることができる。
【００２７】バックエンド２０のマイコン２４は、情報データの読み出しアドレスの誤りがない場合、デコーダ２１により復号された情報データを累積加算してチェックサムを算出し、算出した情報データのチェックサムをメモリ（マイコン２４に内蔵）に記憶し、同じ読み出しアドレス３００００Ｈの信号をフロントエンド１０のマイコン１７に送信して、同じアドレスの情報データの読み出しを指令し、上記同様にして、デコータ２１により復号された情報データのチェックサムを算出する。そして、バックエンド２０のマイコン２４は、メモリに記憶されている情報データのチェックサムを読み出して、各情報データのチェックサムが一致するか否かを判断して、情報データの読み出しエラーを判別し、情報データの読み出しエラーと判別した場合、情報データの読み出しエラーの回数を計数するチェックサムエラー回数に１を加算して、チェックサムエラー回数をモニタ装置４０の表示画面４０ａに表示する。そして、同様にして、光ディスク１１に記録されている情報データの読み出しアドレスが、例えば、３０００１Ｈ、３０００２Ｈ、３０００３Ｈ、…と変更されて、情報データの読み出しが繰り返され、ディスク再生装置の情報データの読み出し動作の信頼性が評価される。
【００２８】また、バックエンド２０のマイコン２４は、フロントエンド１０のマイコン１７からのドライブエラー信号を受信した場合、ドライブエラー回数に１を加算して、ドライブエラー回数をモニタ装置４０の表示画面４０ａに表示し、フロントエンド１０のマイコン１７からのリードタイムエラー信号を受信した場合、リードタイムエラー回数に１を加算して、リードタイムエラー回数をモニタ装置４０の表示画面４０ａに表示する。
【００２９】なお、情報データの読み出しアドレスは、情報データが記録されている先頭アドレスから最終アドレスまでシーケンシャルにアドレスを増加させて、同じアドレスの情報データを複数回読み出すようにしてもよい。この場合、ユーザが光ディスクに記録されている情報データを連続して再生する場合の情報データの読み出し動作に準じた動作となり、ユーザが光ディスクを再生する場合のディスク再生装置の情報データの読み出しエラーの発生の有無を評価することができる。
【００３０】また、情報データの読み出しアドレスは、一様乱数によりランダムにアドレスを指定して、ランダムに指定された同じアドレスの情報データを複数回読み出すようにしてもよい。この場合、ランダムに読み出すアドレスの数を限定することによって、短時間にディスク再生装置の情報データの読み出しエラーの発生の有無を評価することができる。
【００３１】また、情報データの読み出しアドレスは、光ディスクの内周近傍のアドレスと外周近傍のアドレスとを交互に指定して、同じアドレスの情報データを複数回読み出すようにしてもよい。この場合、光ピックアップの移動距離が大きくなり、ディスク再生装置の情報データの読み出しエラーの発生の有無を効果的に評価することができる。
【００３２】次に、図３の本発明の実施の形態に係るディスク再生装置の評価装置のフロントエンドの動作を示すフローチャートを基に説明する。
【００３３】バックエンドのマイコンから光ディスクに記録されている情報データの読み出しが指令されると、ステップＳ１からステップＳ２に進み、指定されたアドレスの情報データが光ディスクから読み出され、ステップＳ３に進む。
【００３４】ステップＳ３で、ディスクドライブの何らかの不具合により情報データの読み出しができないディスクドライブエラーが発生したか否かが判断され、ディスクドライブエラーが発生した場合、ステップＳ４に進み、ディスクドライブエラーが発生していない場合、ステップＳ５に進む。
【００３５】ステップＳ４で、ディスクドライブエラーが発生して、光ディスクから情報データが読み出されていないことを報知するため、ドライブエラー信号がバックエンドのマイコンに送信され、ステップＳ８に進んで処理を終了する。
【００３６】ステップＳ５で、情報データの読み出し時間を計測して、指定されたデータの読み出しアドレスが検出ができない等により情報データの読み出し時間が所定時間を超過して、リードタイムオーバーとなったか否かが判断され、リードタイムオーバーとなっていない場合、ステップＳ６に進み、リードタイムオーバーとなった場合、ステップＳ７に進む。
【００３７】ステップＳ６で、光ディスクから情報データを読み出したアドレスの信号がバックエンドのマイコンに送信され、ステップＳ８に進んで処理を終了する。
【００３８】ステップＳ７で、情報データの読み出し時間が所定時間を超過して、光ディスクから情報データが読み出されていないことを報知するため、リードタイムエラー信号がバックエンドのマイコンに送信され、ステップＳ８に進んで処理を終了する。
【００３９】また、図４の本発明の実施の形態に係るディスク再生装置の評価装置のバックエンドの動作を示すフローチャートを基に説明する。
【００４０】リモコン装置のキー操作によりディスク再生装置の情報データの読み出し動作を評価する評価モードのプログラムの実行が指令されると、ステップＳ１１からステップＳ１２に進み、フロントエンドのマイコンに情報データの読み出しアドレスの信号が送信され、光ディスクに記録されている情報データの読み出しが指令されて、ステップＳ１３に進む。
【００４１】ステップＳ１３で、フロントエンドのマイコンからのドライブエラー信号が受信されたか否かが判断され、フロントエンドのマイコンからのドライブエラー信号が受信された場合、ステップＳ１４に進み、フロントエンドのマイコンからのドライブエラー信号が受信されていない場合、ステップＳ１５に進む。
【００４２】ステップＳ１４で、ディスクドライブの不具合により情報データの読み出しができなかった回数を示すドライブエラー回数に１が加算され、ドライブエラー回数がモニタ装置の表示画面に表示されて、ステップＳ１２に戻る。
【００４３】ステップＳ１５で、フロントエンドのマイコンからのリードタイムエラー信号が受信されたか否かが判断され、フロントエンドのマイコンからのリードタイムエラー信号が受信された場合、ステップＳ１６に進み、フロントエンドのマイコンからのリードタイムエラー信号が受信されていない場合、ステップＳ１７に進む。
【００４４】ステップＳ１６で、情報データの読み出し時間が超過した回数を示すリードタイムエラー回数に１が加算され、リードタイムエラー回数がモニタ装置の表示画面に表示されて、ステップＳ１２に戻る。
【００４５】ステップＳ１７で、フロントエンドのマイコンから送信された情報データを読み出したアドレスとフロントエンドのマイコンに送信した情報データの読み出しアドレス、即ち情報データの読み出しを指定したアドレスとが一致するか否かが判断され、情報データが読み出されたアドレスと情報データの読み出しを指定したアドレスとが一致しない場合、ステップＳ１８に進み、情報データが読み出されたアドレスと情報データの読み出しを指定したアドレスとが一致した場合、ステップＳ１９に進む。
【００４６】ステップＳ１８で、情報データの読み出しアドレスの誤り回数を示すアドレスミスマッチ回数に１が加算され、アドレスミスマッチ回数がモニタ装置の表示画面に表示されて、ステップＳ１２に戻る。
【００４７】ステップＳ１９で、指定されたアドレスから読み出された情報データが累積加算されて、チェックサムが算出され、算出された情報データのチェックサムがメモリに記憶されて、ステップＳ２０に進む。
【００４８】ステップＳ２０で、指定されたアドレスの情報データが２回読み出されたか否かが判断され、指定されたアドレスの情報データが２回読み出された場合、ステップＳ２１に進み、指定されたアドレスの情報データが２回読み出されていない場合、ステップＳ１２に戻って、ステップＳ１２からステップＳ２０のステップを繰り返す。
【００４９】ステップＳ２１で、メモリに記憶されている光ディスクから２回読み出された各情報データのチェックサムが読み出され、各情報データのチェックサムが一致するか否かが判断され、各情報データのチェックサムが一致しない場合、ステップＳ２２に進み、各情報データのチェックサムが一致した場合、ステップＳ２３に進む。
【００５０】ステップＳ２２で、情報データの読み出しエラーと判別された回数を示すチェックサムエラー回数に１が加算され、チェックサムエラー回数がモニタ装置の表示画面に表示されて、ステップＳ２３に進む。
【００５１】ステップＳ２３で、評価モードのプログラムの実行を終了するか否かが判断され、評価モードのプログラムの実行を終了しない場合、ステップＳ２４に進み、評価モードのプログラムの実行を終了する場合、ステップＳ２５に進んで処理を終了する。
【００５２】ステップＳ２４で、情報データの読み出しアドレスが変更され、ステップＳ１２に戻って、ステップＳ１２からステップＳ２３のステップを繰り返す。
【００５３】以上、本発明の実施の形態について詳述したが、本発明はこれに限らず、当業者の通常の知識の範囲内でその変形や改良が可能である。例えば、光ディスクに記録されている情報データの読み出しアドレスを指定して、同じ読み出しアドレスの情報データを２回読み出して再生し、再生された各情報データのチェックサムを算出して、算出された各情報データのチェックサムを比較することによって、情報データの読み出しエラーを検出することを説明したが、同じアドレスの情報データを複数回読み出すようにしてもよい。
【００５４】また、本発明は、ＤＶＤ等の光ディスクに記録されている情報データを再生するディスク装置の評価装置及び評価方法について説明したが、アドレスが割り当てられて情報データが記録されている記録媒体から情報データを再生するハードディスク装置等の情報再生装置の評価装置及び評価方法にも適用できる。
【００５５】
【発明の効果】以上説明してきたように、本発明によるディスク再生装置の評価装置によれば、光ディスクに記録されている情報データの読み出しアドレスを指定して、光ディスクに記録されている情報データを複数回読み出して再生し、その情報データが読み出されたアドレスと情報データの読み出しが指定されたアドレスとを比較して、読み出しアドレスの誤りを判別し、情報データの読み出し不能信号の有無を判別し、再生された各情報データを比較して、情報データの読み出しエラーを判別し、ディスク再生装置の情報データの読み出し動作の信頼性を評価することができる。このことにより、光ディスクに記録されている情報データの読み出しアドレスを指定して、情報データを複数回読み出して再生したとき、指定された読み出しアドレスと異なる別のアドレスから読み出された別の情報データを比較して、情報データの読み出しエラーを判別することなく、指定された読み出しアドレスから読み出された情報データを比較して、情報データの読み出しエラーの有無を判別し、ディスク再生装置の情報データの読み出し動作の信頼性を評価することができる。また、指定された情報データの読み出しができない場合、無の情報データを比較して、情報データの読み出しエラーの有無を判別することなく、ディスク再生装置の情報データの読み出し動作の信頼性を評価することできる。
【００５６】請求項１記載の発明に係るディスク再生装置の評価装置は、情報データが記録されている先頭アドレスから最終アドレスまでシーケンシャルに増加させて情報データの読み出しアドレスを指定し、或いは一様乱数によりランダムに情報データの読み出しアドレスを指定し、或いは光ディスクの内周近傍のアドレスと外周近傍のアドレスとを交互に指定して、光ディスクに記録されている情報データを２回読み出して再生し、その情報データが読み出されたアドレスと情報データの読み出しが指定されたアドレスとを比較して、読み出しアドレスの誤りを判別し、情報データの読み出し不能信号の有無を判別し、再生された各情報データを比較して、情報データの読み出しエラーを判別し、その判別結果を表示するようにしている。
【００５７】請求項２記載の発明に係るディスク再生装置の評価装置は、光ディスクに記録されている情報データの読み出しアドレスを指定して、光ディスクに記録されている情報データを複数回読み出して再生し、その情報データが読み出されたアドレスと情報データの読み出しが指定されたアドレスとを比較して、読み出しアドレスの誤りを判別し、情報データの読み出し不能信号の有無を判別し、再生された各情報データを比較して、情報データの読み出しエラーを判別し、その判別結果を表示するようにしている。
【００５８】請求項３記載の発明に係るディスク再生装置の評価装置は、情報データが記録されている先頭アドレスから最終アドレスまでシーケンシャルに増加させて情報データの読み出しアドレスを指定して、光ディスクに記録されている情報データの読み出し、ディスク再生装置の情報データの読み出し動作を評価するようにしている。
【００５９】請求項４記載の発明に係るディスク再生装置の評価装置は、一様乱数によりランダムに情報データの読み出しアドレスを指定して、光ディスクに記録されている情報データの読み出し、ディスク再生装置の情報データの読み出し動作を評価するようにしている。
【００６０】請求項５記載の発明に係るディスク再生装置の評価装置は、光ディスクの内周近傍のアドレスと外周近傍のアドレスとを交互に指定して、光ディスクに記録されている情報データの読み出し、ディスク再生装置の情報データの読み出し動作を評価するようにしている。
【００６１】請求項６記載の発明に係るディスク再生装置の評価装置は、再生された情報データのチェックサムを比較して、情報データの読み出しエラーを判別するようにしている。
【００６２】請求項７記載の発明に係るディスク再生装置の評価装置は、情報データの読み出しエラーを検出したとき、情報データの読み出しエラー回数を計数して、情報データの読み出しエラー回数を表示するようにしている。
【００６３】請求項８記載の発明に係るディスク再生装置の評価装置は、情報データの読み出しアドレスの誤りを検出したとき、情報データの読み出しアドレスの誤り回数を計数して、情報データの読み出しアドレスの誤り回数を表示するようにしている。
【００６４】請求項９記載の発明に係るディスク再生装置の評価装置は、ドライブエラーを検出したとき、ドライブエラー回数を計数して、ドライブエラー回数を表示するようにしている。
【００６５】請求項１０記載の発明に係るディスク再生装置の評価装置は、リードタイムエラーを検出したとき、リードタイムエラー回数を計数して、リードタイムエラー回数を表示するようにしている。
【００６６】請求項１１記載の発明に係るディスク再生装置の評価方法は、情報データの読み出しアドレスを指定して、光ディスクに記録されている情報データの読み出しを指令し、ドライブエラー信号が受信された場合、ドライブエラー回数を加算して、ドライブエラー回数を表示し、リードタイムエラー信号が受信された場合、リードタイムエラー回数を加算して、リードタイムエラー回数を表示し、情報データが読み出されたアドレスと情報データの読み出しが指定されたアドレスとを比較して、情報データが読み出されたアドレスと情報データの読み出しが指定されたアドレスとが一致しない場合、情報データの読み出しアドレスの誤り回数を加算して、情報データの読み出しアドレスの誤り回数を表示し、指定された読み出しアドレスから読み出された情報データのチェックサムを算出して、算出された情報データのチェックサムをメモリに記憶し、指定された読み出しアドレスの情報データの読み出し回数を判断し、指定された読み出しアドレスから複数回読み出された各情報データのチェックサム比較して、複数回読み出された各情報データのチェックサムが一致しない場合、情報データの読み出しエラー回数を加算して、情報データの読み出しエラー回数を表示し、情報データの読み出しアドレスを変更するようにしている。
【図面の簡単な説明】
【図１】本発明の実施の形態に係るディスク再生装置の評価装置の構成を示すブロック図である。
【図２】本発明の実施の形態に係るディスク再生装置の評価装置の評価情報の表示例を示す図である。
【図３】本発明の実施の形態に係るディスク再生装置の評価装置のフロントエンドの動作を示すフローチャートである。
【図４】本発明の実施の形態に係るディスク再生装置の評価装置のバックエンドの動作を示すフローチャートである。
【符号の説明】
１０　フロントエンド
１１　光ディスク
１２　光ピックアップ
１３　スピンドルモータ
１４　サーボ回路
１５　同期検出／ＡＤ変換回路
１６　復調／誤り訂正回路
１７　マイコン
２０　バックエンド
２１　デコーダ
２２　エンコーダ／ＤＡ変換回路
２３　ＯＳＤ回路
２４　マイコン
２５　リモコン受信部
３０　リモコン装置
４０　モニタ装置
４０ａ　表示画面
【図１】
2004047032.tif 000003
【図２】
2004047032.tif 000004
【図３】
2004047032.tif 000005
【図４】
2004047032.tif 000006